(57)【要約】      （修正有）【課題】簡単な構造で安価であり、組み立てが容易で高い取付強度を有し、しかも容易に門扉の位置調整を行うことができる軸受金具を提供する。【解決手段】支柱等の被取付物に固定される取付部３２と、中間壁１８とその両端に延設された一対の側壁２２等を有する矩形のケース部２４を備える。支持部４２がケース部２４の内側で抜き差し方向に移動可能に設けられたアーム部材２６と、背壁３６を貫通し、支持部４２の抜き差し方向の移動位置を調整する調整ボルト３８を備える。背壁３６は、小径孔と大径孔が複合してなるだるま穴状に形成され、調整ボルト３８が挿通された背壁貫通孔を備える。調整ボルト３８は、頭側の端部に大径孔よりも大きな径を有する大径フランジ５０を有する。大径フランジ５０からネジ部先端側には、所定の間隔を空けて、大径孔よりも小さく小径孔よりも大きい小径フランジを備える。【選択図】図２
0003147684.tif 000002
【実用新案登録請求の範囲】
【請求項１】
門扉を被取付物に回動自在に取り付ける軸受金具において、
前記被取付物に固定される取付部と、中間壁とその両端に延設された一対の側壁を有する矩形のケース部と、前記ケース部の矩形の一端を塞ぐ背壁と、前記ケース部の矩形の他の一端で開口した挿通口とが設けられた本体と、
前記ケース部内側へ前記挿通口から前記背壁の方向に差し込まれ、先端部分に雌ネジが形成された支持部を有し、その支持部が前記ケース部内側で抜き差し方向に移動可能に設けられたアーム部材と、
前記アーム部材の前記挿通口から外側に突出した部分に垂直に立設され、門扉が回転自在に取り付けられる軸部材と、
前記背壁を貫通して前記雌ネジと螺合し、前記支持部の抜き差し方向の移動位置を調整する調整ボルトとを備え、
前記背壁には、小径孔と大径孔が複合してなるだるま穴状に形成され前記調整ボルトが挿通された背壁貫通孔が形成され、前記調整ボルトのネジ部には、頭側の端部に前記大径孔よりも大きな径を有する大径フランジが形成され、さらに、その大径フランジから前記ネジ部先端側に所定の間隔を空けて、前記大径孔よりも小さく前記小径孔よりも大きな径を有する小径フランジが形成され、前記調整ボルトは、組み立て状態で、前記２つのフランジの間隙に前記背壁貫通孔の小径孔周縁部を嵌合させ、回転自在に支持されたことを特徴とする軸受金具。
【請求項２】
前記調整ボルトは、前記側壁貫通孔と前記調整ボルトの嵌合部分を軸にして、前記アーム部材を揺動可能に支持し、前記アーム部材は、一方の前記側壁と前記支持部の間に設けられた固定用部材と、他方の前記側壁とで挟持され、所定の揺動位置に固定されることを特徴とする請求項１記載の軸受金具。
【請求項３】
前記ケース部材の一対の前記側壁には、互いに対向する位置に側壁貫通孔が各々形成され、前記固定用部材には、前記一対の側面が対向する方向に貫通する雌ネジ孔が形成され、前記アーム部材の前記支持部には、前記一対の側面が対向する方向に貫通し、前記アーム部材の差し込み方向に沿って形成されたスライド貫通孔が形成され、
一方の前記側壁貫通孔、前記スライド貫通孔、前記固定用部材の前記雌ネジ孔、及び他方の前記側壁貫通孔の順に通貫するとともに、前記雌ネジ孔と螺合して前記固定部材の位置決めをする締付ボルトを備えたことを特徴とする請求項２記載の軸受金具。
【請求項４】
前記大径フランジ及び前記小径フランジは、前記調整ボルトと一体に成形されてなることを特徴とする請求項１乃至３のいずれか記載の軸受金具。
【考案の詳細な説明】
【技術分野】
【０００１】
この考案は、門を形成する支柱や塀に門扉を回転自在に取り付ける軸受金具に関する。
【背景技術】
【０００２】
従来、一戸建て住宅の門やマンションの各戸の通路側に設けられる門扉は、所定形状の外枠部を有しこの外枠部の内側に桟状部が取り付けられた構造であった。そして門扉の外枠部の縦方向の一側縁部は、軸受金具である門扉用ヒンジを介して門柱や塀に取り付けられていた。門扉用ヒンジのうちピボットヒンジと称されるものは、支柱等に固定される本体と、本体に軸止される支持アーム部材と、この支持アーム部材に固定され垂直に位置する円柱形の支軸が設けられていた。そして、門扉には支軸に対して回転可能に嵌合する保持部材が取り付けられていた。
【０００３】
さらに、門扉の、支柱等に対する位置を微調整することができるピボットヒンジとして、例えば、特許文献１に開示されている門扉取付用のヒンジがあった。このヒンジは、門柱に取り付けられる固定具が設けられ、この固定具には門扉の方へ突出する支持アーム部材と、この支持アーム部材の底部を係止するロック部材が設けられている。また、支持アーム部材には、門扉を回転可能に軸止する支軸が設けられているとともに、支持アーム部材の固定具からの突出量を調節する調整ネジが設けられ、調整ネジは固定具に首振り可能な隙間を持って嵌合されているものである。
【０００４】
この門扉取付用ヒンジは、調整ネジを調整して、固定具に対する支持アーム部材の突出量、すなわち門柱に対する門扉の位置を近づけたり遠ざけたりする方向へ位置調整することができる。また、支持アーム部材はロック部材の任意の位置に、支持アーム部材の長手方向に対して直角方向に移動させることができ、門柱に対して門扉の厚み方向の位置調整を行うことができる。
【０００５】
また、調整ネジを固定具に首振り可能に保持するため、調整ネジをねじ挿入孔の外側から挿入し、挿入されたネジ部に内側から止め輪を取り付けることによって、軸方向の移動を防止する構造を備えている。
【特許文献１】実公平６−４８０８０号公報
【考案の開示】
【考案が解決しようとする課題】
【０００６】
特許文献１の門扉取付用ヒンジに開示されている調整ネジに止め輪を取り付ける構造としては、調整ネジをねじ挿入孔に挿入した後で抜け止めを取り付けなければならない組み立て上の制約から鑑みて、例えば、Ｅリングを用いた構造が考えられる。すなわち、ネジ部のシャフトに、予め適切な寸法の切り溝加工を施しておき、軸と直角の方向からＥリングを圧入して止め輪を形成する構造である。しかしながら、あらかじめＥリング用の溝加工が施された調整ネジを使用しなければならず、通常の調整ネジに比べてコストアップしてしまう。また、Ｅリング分の部品点数が増加し、さらに調整ネジをねじ挿入孔に挿入した後でＥリングを取り付けるという面倒な作業が生じ、部品管理や組立作業の面で煩雑であった。
【０００７】
また、調整ネジの軸方向に直交する透孔を形成しておき、調整ネジを挿入孔に挿入した後で抜け止め用のピンを透孔に挿入して、抜け止めとする構造もある。しかし、この構造も、上述したＥリングの場合と同様に、調整ネジに透孔を形成する追加工が必要であり、コストが高くなると言う問題点を有しているものであった。
【０００８】
この考案は、上記従来の技術の問題点に鑑みてなされたものであり、簡単な構造で安価であり、組み立てが容易で高い取付強度を有し、しかも容易に門扉の位置調整を行うことができる軸受金具を提供することを目的とする。
【課題を解決するための手段】
【０００９】
本考案は、門扉を被取付物に回動自在に取り付ける軸受金具であって、前記被取付物に固定される取付部と、中間壁とその両端に延設された一対の側壁を有する矩形のケース部と、前記ケース部の矩形の一端を塞ぐ背壁と、前記ケース部の矩形の他の一端を開口した挿通口とが設けられた本体と、前記前記背壁に形成された背壁貫通孔と、前記ケース部内側へ前記挿通口から前記背壁の方向に差し込まれる支持部を有し、その支持部が前記ケース部内側で抜き差し方向に移動可能なアーム部材と、前記支持部の先端部分に、前記支持部の抜き差し方向に形成された雌ネジと、前記アーム部材の前記挿通口から外側に突出した部分に垂直に立設され、門扉が回転自在に取り付けられる軸部材と、前記背壁貫通孔に挿通され、前記雌ネジと螺合して前記支持部の抜き差し方向の移動位置を調節する調整ボルトとを備え、前記背壁貫通孔は、小径孔と大径孔が複合してなるだるま穴状に形成され、前記調整ボルトのネジ部には、頭側の端部に前記大径孔よりも大きな径を有する大径フランジが形成され、さらに、その大径フランジから前記ネジ部先端側に所定の間隔を空けて、前記大径孔よりも小さく前記小径孔よりも大きな径を有する小径フランジが形成され、前記調整ボルトは、組み立て状態で、前記２つのフランジの間隙に前記背壁貫通孔の小径孔周縁部が係合し、回転自在に支持される軸受金具である。
【００１０】
また、前記調整ボルトは、前記側壁貫通孔と前記調整ボルトの嵌合部分を軸にして、前記アーム部材を揺動可能に支持し、前記アーム部材は、一方の前記側壁と前記支持部の間に設けられた固定用部材と、他方の前記側壁とで挟持され、所定の揺動位置に固定されたものであってもよい。
【００１１】
また、前記ケース部材の一対の前記側壁には、互いに対向する位置に側壁貫通孔が各々形成され、前記固定用部材には、前記一対の側面が対向する方向に貫通する雌ネジ孔が形成され、前記アーム部材の前記支持部には、前記一対の側面が対向する方向に貫通し、前記アーム部材の差し込み方向に沿って形成されたスライド貫通孔が形成され、一方の前記側壁貫通孔、前記スライド貫通孔、前記固定用部材の前記雌ネジ孔、他方の前記側壁貫通孔の順に通貫するとともに、前記雌ネジ孔と螺合して前記固定部材の位置決めをする締付ボルトを備える。
【００１２】
さらに、前記大径フランジ及び前記小径フランジは、前記調整ボルトと一体に成形されてなるものであってもよい。
【考案の効果】
【００１３】
本考案の軸受金具は、簡単な構造であり、部品を容易に組み立てることができる。さらに、調整ボルトの軸方向の移動を防止する大径フランジと小径フランジを、調整ボルトと一体に成形することにより部品点数が削減され、調整ボルト自体のコストアップもほとんどなく、確実な位置決めと取付強度を維持することができるものである。
【考案を実施するための最良の形態】
【００１４】
以下、この考案の一実施形態について図１〜図６に基づいて説明する。この実施形態の軸受金具１０は、図６に示すように、地面に立設された支柱１２に門扉１４を回動自在に取り付けるものである。
【００１５】
組み立てた状態の軸受金具１０は、図１、図２、図６に示すように、支柱１２に固定される本体１６を備えている。本体１６は、中間壁１８とその両端に略直角に延設された一対の側壁２０，２２で構成された、一方向に長い矩形のケース部２４を備えている。ケース部２４の長手方向の一端に位置する一側面は開口され、後述するアーム部材２６が挿通される挿通口２８となる。また、一対の側壁２０，２２には、互いに対向する位置に、後述する締付ボルト３０が通貫する側壁貫通孔２０ａ，２２ａが各々形成されている。
【００１６】
挿通口２８に連続して中間壁１８とほぼ平行に対向する面も開口され、この開口縁部に連続し、側壁２０，２２に対してほぼ直角に側方へ延出する板状の取付部３２，３４が各々設けられている。取付部３２，３４は、支柱１２に重ねられて取り付けられるものであり、一対のネジ用透孔３２ａ，３４ａが各々形成されている。また、各取付部３２，３４の挿通口２８と反対側の端部には、側壁２０，２２に対して直角に当接する三角板状の補強部３２ｂ，３４ｂが各々設けられている。
【００１７】
ケース部２４の長手方向の他の一端に位置する一側面は、挿通口２８とほぼ平行に対向する背壁３６によって塞がれている。また、背壁３６には、所定の寸法の大径孔４０ａと小径孔４０ｂが複合してなるだるま穴形状を有し、後述する調整ボルト３８が挿入される背壁貫通孔４０が形成されている。大径孔４０ａと小径孔４０ｂについては後述する。
【００１８】
ケース部２４内側には、挿通口２８から背壁３６の方向に、棒状のアーム部材２６が差し込まれている。アーム部材２６は、長手方向に対して直角な断面形状がほぼ矩形の支持部４２を有し、支持部４２の使用状態で上方を向く上面には、後述する固定用部材４４が嵌合する凹部４２ａが形成されている。
【００１９】
支持部４２の、ケース部２４の挿通口２８から外側に露出している端部には、保持筒部４６が一体に設けられている。保持筒部４６には、支持部４２の上面に対してほぼ直角に掘り込まれた挿通口４６ａが設けられている。そして、挿通口４６ａには、円柱状の軸部材４８の一方の端部が挿入され、図示しないネジ等によって保持筒部４６に固定されている。
【００２０】
ケース部材２４の側壁２０と支持部４２との間の、支持部４２の凹部４２ａと嵌合する位置には、外形が略四角形で厚みが凹部４２ａの深さとほぼ等しい固定用部材４４が設けられている。
【００２１】
次に、各部材の詳細な構造について、図３に基づいて説明する。本体１６は、図３（ａ）に示すように、ケース部２４内側の側壁貫通孔２０ａを中心とする周縁部に、組み立て時に固定用部材４４の位置決めの目安となる矩形の凹部２０ｂが形成されている。また、背壁貫通孔４０は、直径φａの大径孔４０ａと直径φｂの小径孔４０ｂとが複合した形状の孔であって、大径孔４０ａの円周線の外側に小径孔４０ｂの中心が位置するように各中心点をずらして重ね合わせ、かつ、２つの孔の円周線が交差する箇所の鋭角部分を除去した、いわゆるだるま穴状の形状を有している。そして、小径孔４０ｂの中心が背壁３６のほぼ中央となる位置に背壁貫通孔４０が配置されている。なお、上記直径φａ，φｂは調整ボルト３８の形状との関係で定められるが、詳細は後で述べる。
【００２２】
軸部材４８が固定されたアーム部材２６は、図３（ｂ）に示すように、支持部４２の先端に、背壁貫通孔４０に挿通された調整ボルト３８と螺合する雌ネジ４２ｂが形成されている。また、凹部４２ａの底面の範囲に、支持部４２の使用状態での上面から下面に向けて貫通し、断面が支持部４２の長手方向に沿った長穴形状のスライド貫通孔４２ｃが形成されている。このスライド貫通孔４２ｃは、その長手方向と直交する方向の幅が、締付ボルト３０のネジ部の直径よりも大きく、締付ボルト３０の長手方向に対して直角方向に支持部４２が揺動可能に形成されている。また、組み立て状態で固定用部材４４と嵌合する凹部４２ａの底面には、所定のギザを有する当接面４２ｄが形成されている。
【００２３】
固定用部材４４には、図３（ｃ）に示すように、ギザを有する当接面４４ａが形成されている。固定用部材４４は、組み立て状態で支持部４２の凹部４２ａに嵌め込まれて、当接面４４ａが当接面４２ｄに当接し、互いのギザ同士がかみ合って滑らない。また、当接面４４ａの中央部には、厚み方向に貫通し、締付ボルト３０と螺合する雌ネジ孔４４ｂが形成されている。この雌ネジ孔４４ｂは、固定用部材４４がケース部２４の凹部２０ｂの位置にあるときに、側壁貫通孔２０ａと同軸上に位置するよう設けられている。
【００２４】
調整ボルト３８は、図３（ｄ）に示すように、頭３８ａ、ネジ加工されていない軸部３８ｂ、ネジ部３８ｃ、先端部３８ｄを備え、さらに軸部３８ｂ上の頭３８ａ側の端部に大径フランジ５０が、軸部３８ｂのネジ部３８ｃ側の端部には小径フランジ５２が各々設けられている。なお、この本実施形態では、２つのフランジ５０，５２は、調整ボルト３８と一体に成形する方法で形成されている。
【００２５】
ここで、調整ボルト３８の形状と本体１６に設けられた背壁貫通孔４０の形状との関係について、図４に基づいて説明する。まず、調整ボルト３８の大径フランジ５０と小径フランジ５２の間隔Ｄは、本体１６の背壁３６の厚みＴよりも、僅かなゆとりをもって大きく設定されている。また、調整ボルト３８の大径フランジ５０の直径をφ１、小径フランジ５２の直径をφ２、軸部３８ｂの直径をφ３とし、背壁貫通孔４０の大径孔４０ａの直径φａ、小径孔４０ｂの直径φｂと比較すると、φ３＜φｂ＜φ２＜φａ＜φ１という関係に設定されている。
【００２６】
締付ボルト３０は、図３（ｅ）に示すように、頭３０ａ、軸部３０ｂ、ネジ部３０ｃ、先端部３０ｄを備えた一般的なボルトであり、さらに、リング状のワッシャ５４が挿通されて頭３０ａに係止されている。
【００２７】
次に、軸受金具１０の組立方法について説明する。まず、地面に立設された左右一対の支柱１２の側面に、軸受金具１０の本体１６を固定する。固定方法は、本体１６の所定位置に取付部３２，３４を重ね、ネジ用透孔３２ａ，３４ａに図示しないボルトを差し込み、ボルトを支柱１２の内側の図示しないナットに螺合させて固定する。このとき、本体１６の挿通口２８は、他の支柱１２の側向けて横向きになるように配置される。
【００２８】
次に、本体１６の背壁貫通孔４０に、調整ボルト３８を挿入する。まず、背壁貫通孔４０の大径孔４０ａ側から調整ボルト３８の先端部３８ｄ側を挿入する。すると、ネジ部３８ｃ、小径フランジ５２及び軸部３８ｂまで通過し、大径フランジ５０が大径孔４０ａ周縁部に係止される。次に、その係止状態のまま調整ボルト３８を側壁２０方向に摺り動かし、小径孔４０ｂに納める。すると、２つのフランジ５０，５２の間隙に小径孔４０ｂの周縁部が嵌合し、調整ボルト３８の軸方向の移動が妨げられた状態で、回転自在に支持される。
【００２９】
次に、あらかじめ軸部材４８が取り付けられたアーム部材２６を、軸部材４８が地面に対して上方に立設する向きに持ち、さらに、固定用部材４４を、支持部４２の凹部４２ａの当接面４２ｄ上の所定の位置に、当接面４４ａを下向きにして載置する。そして、その状態のまま、支持部４２を本体１６のケース部２４の挿通口２８側から差し込む。この後、支持部４２の先端が調整ボルト３８の先端部３８ｄに達すると、調整ボルト３８を回して支持部４２の雌ネジ４２ｂに螺合させ、さらに調整ボルト３８を回転させ、固定用部材４４がケース部２４の凹部２０ｂの範囲に収まる位置までアーム部材２６が移動したところで、調整ボルト３８の回転を止める。
【００３０】
次に、ケース部２４の地面側の側壁貫通孔２２ａから、ワッシャ５４が挿通された締付ボルト３０を挿入する。締付ボルト３０の先端部３０ｄが支持部４２のスライド貫通孔４２ｃを通過して固定用部材４４の当接面４４ａに達すると、雌ネジ孔４４ｂに螺合させる。そして、やがて先端部３０ｄは雌ネジ孔４４ｂを通過し、さらにケース側壁２０の側壁貫通孔２０ａ内に進行する。そして、支持部４２が固定用部材４４と地面側の側壁２２の間で挟持されるまで固定用部材４４を移動させたところで、締付ボルト３０の締め付けを止める。なお、後の調整のため、このときは仮固定状態としておく。
【００３１】
次に、図６に示すように、軸部材４８のアーム部材２６から突出している部分に、門扉１４に固定された支持部材５６を回転可能に取り付ける。支柱１２に対する門扉１４の姿勢や位置を調整するときは、締付ボルト３０を緩めて、固定用部材４４の当接面４４ａと支持部４２の当接面４２ｄの係合を解除する。アーム部材２６は、調整ボルト３８と螺合し、調整ボルト３８の２つのフランジ５０，５２を介して背壁貫通孔３８周縁部に支持されている。ここでは、２つのフランジ５０，５２と背壁貫通孔３８周縁部とはクリアランスをもって緩やかに嵌合しているため、アーム部材２６は、その嵌合部分を軸に水平方向にケース部２４内で揺動可能に支持されている。従って、この揺動可能な範囲内で、軸部材４８の水平方向であって門扉１４の表面と直角方向の位置調整を行うことができる。さらに、調整ボルト３８の締め付けを調節すれば、アーム部材２６のケース部２４への差し込み位置を変更することができ、門扉１４の表面と平行な方向の位置調整を行うことができる。そして、アーム部材２６が所望の位置になったところで再び締付ボルト３０を締めると、その位置に固定される。
【００３２】
組み立て状態の軸受金具１０の内部の状態を、図５に示す。調整ボルト３８は、締付ボルト３０と干渉しない範囲で十分な長さのネジ部３８ｃを有している。また、締付ボルト３０は、その先端部３０ｄが上側の側壁貫通孔２０ａ内に収まるか、あるいは通過していることが好ましい。そうすれば、仮固定後の調整の際に締め付けを緩めてアーム部材２６を揺動させても、締付ボルト３０の先端部３０ｄが側壁貫通孔２０ａ内に支えられるので、締付ボルト３０が傾かず、再締め付けを容易に行うことができる。
【００３３】
この実施形態の軸受金具１０によれば、調整ボルト３８に設けた大径フランジ５０と小径フランジ５２の間隙部分を、だるま穴状の背壁貫通孔４０の小径孔４０ｂ周縁部に回転自在に嵌合させる構造を備えているので、軸受金具１０を簡単に組み立てることができる。また、大径フランジ５０と小径フランジ５２を調整ボルト３８と一体に成形すれば、組み立て時の部品点数を削減することができ、調整ボルト３８自体のコストアップもほとんどない。
【００３４】
また、軸受金具１０を支柱１２に取り付けた後、簡単な操作方法により門扉１４の位置を調整することができる。すなわち、調整ボルト３８による調整で、本体１６に対するアーム部材２６の突出量を変えて、支柱１２に対する門扉１４の位置を近づけたり遠ざけたりする方向へ位置調整することができる。また、アーム部材２６は調整ボルト３８と背壁貫通孔３８周縁部との係合部分を軸に揺動させ、軸部材４６をアーム部材２８の突出方向に対して直角方向に移動させることができ、支柱１２に対して門扉１４の厚み方向の位置調整を行うことができる。
【００３５】
なお、この考案の軸受金具は本実施形態に限定されるものではなく、各部材の形状や素材等、適宜変更可能である。例えば、調整ボルトに設けた２つのフランジの形状、背壁の厚み、背壁貫通孔の大径孔及び小径孔の形状は、上述した相対的な大小関係を満たす範囲で自由に変更可能であり、支柱に取り付けられる門扉の形状や重量等に合わせて適宜設定すれば良い。
【００３６】
また、支柱が比較的精度よく設置され、支柱から門扉の厚み方向に対する門扉の位置調整を行う必要がないときは、その方向の調整に寄与する締付ボルトや固定部材等の構成を省略してもよい。
【図面の簡単な説明】
【００３７】
【図１】この考案の一実施形態の軸受金具をケース部内側の方向から見た斜視図である。
【図２】この実施形態の軸受金具をケース部外側の斜め下方から見た斜視図（ａ）、斜め上方からみた斜視図（ｂ）である。
【図３】この実施形態の本体１６の斜視図（ａ）、軸部材４８が取り付けられたアーム部材２６の斜視図（ｂ）、固定用部材４４の斜視図（ｃ）、調整ボルト３８の斜視図（ｄ）、締付ボルト３０の斜視図（ｅ）のである。
【図４】この実施形態の調整ボルト３８と背壁３６の関係を示す模式図である。
【図５】この実施形態の軸受金具の門扉の位置調整が行われた後の固定状態を示す縦断面図である。
【図６】この実施形態の軸受金具の使用状態を示す斜視図である。
【符号の説明】
【００３８】
１０  軸受金具
１２  支柱
１６  本体
１８  中間壁
２０，２２  側壁
２０ａ，２２ａ  側壁貫通孔
２４  ケース部
２６  アーム部材
２８  挿通口
３０  締付ボルト
３２，３４  取付部
３６  背壁
３８  調整ボルト
３８ｃ  ネジ部
４０  背壁貫通孔
４０ａ  大径孔
４０ｂ  小径孔
４２  支持部
４２ｂ  雌ネジ
４２ｃ  スライド貫通孔
４４  固定用部材
４４ｂ  雌ネジ孔
４６  保持筒部
４８  軸部材
５０  大径フランジ
５２  小径フランジ
【図１】
0003147684.tif 000003
【図２】
0003147684.tif 000004
【図３】
0003147684.tif 000005
【図４】
0003147684.tif 000006
【図５】
0003147684.tif 000007
【図６】
0003147684.tif 000008